(57)【要約】【課題】レンズ部を有する撮像装置において、レンズ鏡筒内部の壁に対する反射光によるフレア対策として、従来は三角形状の凹凸面を構成し平面を少なくする事で不用光の反射を減衰させていたが、形状が一定してる為に進入する光の角度が変化すると三角形状面と一致した場合  、フレア減衰効果が薄れる事が有った。又、上記三角形状の凹凸面は金型構造上、限定した範囲にしか形状を構成出来無く  、その他の内壁面のフレア対策として上記凹凸形状を構成する事が出来ず十分ではなかった。【解決手段】レンズ部を有する撮像装置において、レンズ鏡筒内部にレンズ群と鏡筒との間に三角形状を施した凹凸状の蛇腹構造部品を配置する事を特徴とし、更に前記レンズ鏡筒内部にレンズ群と鏡筒との間に配置した前記蛇腹構造部品は伸縮機構を備え、三角形状を施した凹凸形状の角度を変化させる事が出来る。【選択図】図５
2018128554.tif 000002
【特許請求の範囲】
【請求項１】
レンズ部を有する撮像装置において、撮像装置に構成されている前記レンズ部のレンズ鏡筒内部にレンズ群と鏡筒との間に三角形状を施した凹凸状の蛇腹構造部品を配置する事を特徴とする撮影可能な電子機器。
【請求項２】
前記蛇腹構造部品は、伸縮機構を備え、三角形状を施した凹凸形状の角度を変化させる事が出来る事を特徴とする請求項１に記載の撮影可能な電子機器。
【発明の詳細な説明】
【技術分野】
【０００１】
本発明はレンズ鏡筒内部壁面の反射によって発生するフレア等の不要光を防止、又は減衰させる構造に関するものである。
【背景技術】
【０００２】
撮像装置に搭載されるレンズユニットではレンズ内部の内面反射による不要光が撮像素子に映り込む現象が問題になり対策を講じる必要があり、鏡筒の内壁に三角形状を施している。
【先行技術文献】
【特許文献】
【０００３】
【特許文献１】特開２００３−２７０７１１号公報
【特許文献２】特開２００３−２７０７０７号公報
【発明の概要】
【発明が解決しようとする課題】
【０００４】
図８は従来の不要光によるレンズ鏡筒の内壁に対する反射光を防止又は軽減する為の形状を示す図である。レンズユニットを構成する部品の一つである１７０レンズ鏡筒部品の内壁に三角形状を施した１７１反射防止形状であり、１７０レンズ鏡筒部品の一面のみに構成された形状になっているが、金型等の事情からその他の面には凹凸状の反射防止形状は加工が出来無い、又は加工が可能であっても僅かな範囲での実施しか出来ないので効果が限定される。
【０００５】
又、ｅ−ｅ断面で示す１７２反射防止形状は三角形状の凹凸ピッチが鏡筒部品に直接加工されている為に形状が一定しており不要光の進入角度が変わると対処できない問題があった。
【０００６】
又、上記特許文献１では、撮影用アダプタにおいて、着色樹脂で形成された外装部品で、アダプタレンズを収納するレンズ収納部を有したアダプタ本体と、レンズ収納部に組み込まれ、内面反射を防止するために遮光性を有する色で少なくとも内面が施された遮光筒とを備えたことを特徴としており、内面反射を防止するために遮光性を有する色で着色樹脂化する事では不十分であり、本発明の内壁反射を防止及び減衰させる為の形状に関するものでは無く、更に不要光の進入角度の変化に対しての対処が出来無い問題があった。
【０００７】
又、上記特許文献２では、撮像レンズを保持するレンズ保持部が取り付けられた蛇腹部材を設け、蛇腹部材の伸縮によって撮像レンズを離接方向へ移動する事が目的であり、不要光を減衰させる為の蛇腹機構では無い。
【課題を解決するための手段】
【０００８】
本出願に係る第１の発明によれば、レンズ部を有する撮像装置において、レンズ鏡筒内部にレンズ群と鏡筒との間に三角形状を施した凹凸状の蛇腹構造部品を配置する事を特徴とする。
【０００９】
また本出願に係る第２の発明によれば、前記レンズ鏡筒内部にレンズ群と鏡筒との間に配置した蛇腹構造部品は、三角形状を施した凹凸形状の角度を変化させる事が出来る事を特徴とする。
【発明の効果】
【００１０】
以上説明したように、本発明によれば、レンズ鏡筒の鏡筒内部に三角形状を施した蛇腹形状の部品を配置する事で、前記蛇腹形状の三角状の凹凸形状によりレンズ内部に侵入した不要光の反射を撮像素子に映り込む事を防止又は減衰させる効果が得られる。
【００１１】
また、本発明のその他の特徴とするところは、レンズ鏡筒の鏡筒内部に三角形状を施した蛇腹形状部品は伸縮機構を備え、不要光の進入角度が変化した際に三角状の凹凸形状の間隔を変化させる事で不要光の進入角度の変化にも対応させ不要光の反射を防止又は減衰させる効果が得られる。
【図面の簡単な説明】
【００１２】
【図１】本発明の実施例を示す撮像装置の前方斜視図。
【図２】本発明の実施例を示す撮像装置のレンズユニット前方斜視図。
【図３】本発明の実施例を示す蛇腹部品の凹凸形状間隔変化前方斜視図。
【図４】本発明の実施例を示す蛇腹部品の周辺構造前方斜視図。
【図５】本発明の実施例を示す広角撮影時のレンズ位置による断面図。
【図６】本発明の実施例を示す望遠撮影時のレンズ位置による断面図。
【図７】本発明の実施例を示す２群（ズーム）レンズユニットの前方斜視図。
【図８】従来のレンズユニット内部内壁での不要光反射防止形状を示す図。
【発明を実施するための形態】
【００１３】
＜第１の実施形態＞
本発明の実施形態を図１から図７を用いて説明する。図１は本発明の製品形態である撮像装置の一例としての構成を示す被写体側から見た前方斜視図である。
【００１４】
１０１撮像装置本体で撮影中の被写体画像表示、又は再生画像表示等を行う１０２表示装置を備え、図示の１０２表示装置は収納状態であり、１０２ａ表示装置回転軸を介して１０２ｂ回転方向に１０２表示装置を回転させる事で、撮影者が表示画面を視認出来る事で１０１撮像装置本体の操作が可能になる。１０３レンズユニットは１０１撮像装置本体に内蔵され、画角調整や露出調整、画像揺れ（手ブレ）を低減させる防振機能を有しており、被写体画像を適切に撮像素子に投影させる機器である。
【００１５】
１０４マイクは被写体方向又は周囲の音声を１０１撮像装置本体に入力する部品、１０５画角調整操作レバーは１０３レンズユニットのレンズを移動させ撮影する被写体サイズを調整する操作レバーであり、１０６グリップベルトは１０１撮像装置本体を手で支える為の保持部品である。
【００１６】
図２は本発明の実施例を示す撮像装置内部に配置されたレンズユニット前方斜視図である。１１０一群レンズは被写体側に配置されたレンズ群で、１枚レンズ構成、又は複数枚レンズ構成等となり、その保持を１１１一群レンズ保持部材によって１１０一群レンズを保持し、１１２レンズ鏡筒保持部材と１１３撮像素子保持部材が組み合わさって１０３レンズユニットを構成している。１０３レンズユニットの電気信号の制御を行う為に撮像装置本体回路基板と接続させる１１４レンズユニット結線材によって電気的接続を行い通信制御を行っている。
【００１７】
図３は図２のレンズユニット前方斜視図から１１２レンズ鏡筒保持部材を外し、内部構成を示すレンズユニット前方斜視図である。ａ図及びｂ図は本発明の実施例を示すレンズ鏡筒内部にレンズ群と鏡筒との間に三角形状を施した蛇腹部品を配置し、蛇腹範囲が伸縮している状況を示す構成図であり、１２０蛇腹部品に構成されている１２１蛇腹部品可動支持部が１２２蛇腹部品可動範囲で移動する事で１２０蛇腹部品の伸縮が行われる。
【００１８】
図４は図３・ｂ図の拡大図であり、１２０蛇腹部品の可動機構を示す周辺構造を解説する斜視図である。１２０蛇腹部品は１２１蛇腹部品可動支持部と一対の部品として構成され、１２１蛇腹部品可動支持部の可動を支える１２３蛇腹支持軸保持部は、１４０支持軸ａ及び１４３支持軸ｂに構成された１４２支持軸リードギア部ａ及び１４５支持軸リードギアｂによって１２１蛇腹部品可動支持部に駆動を伝達し光軸方向に可動する。
【００１９】
１４２支持軸リードギア部ａ及び１４５支持軸リードギアｂに駆動を伝達する為に構成された１４１支持軸駆動ギアａ及び１４４支持軸駆動ギアｂは１４０支持軸ａ及び１４３支持軸ｂと一対で回転し、１３６タイミングベルトａ及び１３７タイミングベルトｂによって１３０アクチュエーターの回転駆動を伝える１３１アクチュエーター駆動軸に構成された１３２駆動軸ギアａ及び１３３駆動軸ギアｂに駆動伝達され１３６タイミングベルトａ及び１３７タイミングベルトｂに動力を伝える。
【００２０】
１３５アクチュエーター固定部材は１３０アクチュエーターをレンズユニット内に固定保持するものであり、１３０アクチュエーターは１３４アクチュエーター結線材によって電気的通信を行い不要光の反射状況を判断しながら１２０蛇腹部品の位置を制御する。
【００２１】
この様な構成によって、レンズ鏡筒の鏡筒内部に三角形状を施した蛇腹形状の部品を配置する事で、前記蛇腹形状の三角状の凹凸形状によりレンズ内部に侵入した不要光の反射を撮像素子に映り込む事を防止又は減衰させ、蛇腹形状部品の伸縮機構を設ける事で不要光の進入角度が変化した際に三角状の凹凸形状の間隔を変化させる事で不要光の進入角度の変化にも対応させ不要光の反射を防止又は減衰させる効果が得られる事になる。
【００２２】
図５は図２に示したＡ−Ａ断面であり、広角撮影時のレンズ位置に移動させ、図３・ａ図で示した蛇腹構造部品が伸長している状態、即ち蛇腹部の三角形状の角度が広がっている事を示す解説図である。
【００２３】
１１０一群レンズ及び１１１一群レンズ保持部材に近接した位置に１５０二群レンズ及び１５１二群レンズ保持部材が移動しており、この位置は本実施例での光学設計に於いては広角撮影を行う為のレンズ位置になり、前記１５０二群レンズ及び１５１二群レンズ保持部材の移動操作には図１で示した１０５画角調整操作レバーで行われ、又１５０二群レンズ及び１５１二群レンズ保持部材の移動に際しては、１５２ａ二群レンズガイド支持軸１と後述する図７に記載されている１５２ｂ二群レンズガイド支持軸２によって１５１二群レンズ保持部材を保持及びガイドし光軸方向に移動させ画角調整を行っている。
【００２４】
１５３防振補正レンズ及び１５４防振レンズ保持部材が備わり撮像装置の保持する際に発生する手持ちでの手ブレを軽減するレンズが配置され、前記１５３防振補正レンズ及び１５４防振レンズ保持部材の被写体側には露出制御を行う１５６絞り機構ユニットが備わり、本発明では不要光の反射を防止又は減衰させる為の構造体である１２０蛇腹部品は１５０二群レンズの移動範囲内である１１１一群レンズ保持部材から１５６絞り機構ユニットの間で配置構成及び蛇腹構造部品の凹凸形状の角度変化もこの範囲で行われる。
【００２５】
尚、１５３防振補正レンズ及び１５４防振レンズ保持部材の被写体側に対し反対側に配置されている不図示の撮像素子との間に構成され、光軸方向に移動する三郡レンズである合焦レンズの範囲でも、本発明である蛇腹構造部品を配置して不要光の反射防止及び減衰させる事も可能である。
【００２６】
ｃ拡大図では蛇腹構造部品が伸長している状態を示す拡大図であり、１５５蛇腹部品内壁部の１５７蛇腹部三角形状凹凸角度を示しており、１２０蛇腹部品が伸長し三角形状が鈍角状に凹凸されている。
【００２７】
よって不要光の進入状況に応じて反射角度を変えて撮像素子に進入させない様に不要光を検出する検出手段と、その制御を行う制御手段も備え、不要光の反射防止及び減衰の効果を高めている。
【００２８】
図６は図２に示したＡ−Ａ断面であり、この位置は本実施例での光学設計に於いては望遠撮影時のレンズ位置であり、前記望遠撮影時のレンズ位置に移動させた際の、図３・ｂ図で示した蛇腹構造部品が収縮している状態、即ち蛇腹部の三角形状の角度が狭まっている事を示す解説図である。
【００２９】
１１０一群レンズ及び１１１一群レンズ保持部材に対し１５６絞り機構ユニットに近接した位置に１５０二群レンズ及び１５１二群レンズ保持部材が１６０範囲で移動しており、この位置は本実施例での光学設計に於いては望遠撮影を行う為のレンズ位置になり、その移動操作には図１の１０５画角調整操作レバーで行われ、又１５０二群レンズ及び１５１二群レンズ保持部材の移動に際しては、１５２ａ二群レンズガイド支持軸１と後述する図７に記載されている１５２ｂ二群レンズガイド支持軸２によって１５１二群レンズ保持部材を保持及びガイドし光軸方向に移動させ画角調整を行っている。
【００３０】
本発明では不要光の反射を防止又は減衰させる為の構造体である１２０蛇腹部品は１１０一群レンズと１５０二群レンズの範囲内をカバーし１２１蛇腹部品可動支持部を１６１位置にする事で、蛇腹構造部品の凹凸形状の角度を変える事が出来る。
【００３１】
ｄ拡大図では蛇腹構造部品が収縮している状態を示す拡大図であり、１６２蛇腹部品内壁部の１６３蛇腹部三角形状凹凸角度を示しており、１２０蛇腹部品が収縮し三角形状が鋭角状に凹凸変化しており、移動するレンズ群の位置で不要光の進入状況は変わる為、その状況等に応じて反射角度を変えて撮像素子に進入させない様に不要光検出手段とその制御を行う制御手段を備え、不要光の反射防止及び減衰の効果を高める。
【００３２】
図７は図４から１２０蛇腹部品を外し、本発明の実施例を示す２群レンズ周辺の取り付け構造解説する前方斜視図である。１５０二群レンズ及び１５１二群レンズ保持部材の画角調整による移動に際しては、１５２ａ二群レンズガイド支持軸１と光軸に対して略対角位置に配置した１５２ｂ二群レンズガイド支持軸２によって１５１二群レンズ保持部材を保持及びガイドし光軸方向に移動させ画角調整を行っている。
【００３３】
以上、本発明の実施形態を説明したが、レンズ鏡筒の鏡筒内部に三角形状を施した蛇腹形状の部品を配置する事で、前記蛇腹形状の三角状の凹凸形状によりレンズ内部に侵入した不要光の反射を撮像素子に映り込む事を防止又は減衰させる効果が得られ、またレンズ鏡筒の鏡筒内部に三角形状を施した蛇腹形状部品は不要光の進入角度が変化した際に三角状の凹凸形状の間隔を変化させる事で不要光の進入角度の変化にも対応させ不要光の反射を防止又は減衰させる事で画質向上に効果が得られるものである。
【符号の説明】
【００３４】
１０１撮像装置本体
１０２ａ表示装置回転軸
１０２表示装置
１０２ｂ回転方向
１０３レンズユニット
１０４マイク
１０６グリップベルト
１１０一群レンズ
１１１一群レンズ保持部材
１１２レンズ鏡筒保持部材
１１３撮像素子保持部材
１１４レンズユニット結線材
１２０蛇腹部品
１２１蛇腹部品可動支持部
１２２蛇腹部品可動範囲
１２３蛇腹支持軸保持部
１３０アクチュエーター
１３１アクチュエーター駆動軸
１３２駆動軸ギアａ
１３３駆動軸ギアｂ
１３４アクチュエーター結線材
１３５アクチュエーター固定部材
１３６タイミングベルトａ
１３７タイミングベルトｂ
１４０支持軸ａ
１４１支持軸駆動ギアａ
１４２支持軸リードギア部ａ
１４３支持軸ｂ
１４４支持軸駆動ギアｂ
１４５支持軸リードギアｂ
１５０二群レンズ
１５１二群レンズ保持部材
１５２ａ二群レンズガイド支持軸１
１５２ｂ二群レンズガイド支持軸２
１５３防振補正レンズ
１５４防振レンズ保持部材
１５５蛇腹部品内壁部
１５６絞り機構ユニット
１５７蛇腹部三角形状凹凸角度
１６０範囲
１６１位置
１６２蛇腹部品内壁部
１６３蛇腹部三角形状凹凸角度
１７０レンズ鏡筒部品
１７１反射防止形状
１７２反射防止形状
【図１】
2018128554.tif 000003
【図２】
2018128554.tif 000004
【図３】
2018128554.tif 000005
【図４】
2018128554.tif 000006
【図５】
2018128554.tif 000007
【図６】
2018128554.tif 000008
【図７】
2018128554.tif 000009
【図８】
2018128554.tif 000010